(57)【要約】  バリアー層（７５）でコートされたプラスチック材料製の、練り歯磨き粉のような粘性流体物質用の手動ポンプ（１０）に適したポンピングピストンおよびフローティングピストン（７０）が開示される。好ましいバリアー層は熱可塑性エラストマーである。ポンピングピストンのバリアー層は、一体的に一方向放出弁に形成されていてもよい。バリアー層は、ピストンを通る流体物質成分の漏出、あるいはピストンを通る環境成分の侵入を低減する。【選択図】    図７
2007505251.tif 000002
【特許請求の範囲】
【請求項１】
粘性流体物質用の手動ポンプに適した、プラスチック材料製のポンピングピストンであって、該ポンピングピストンのプラスチック材料の少なくとも一部がバリアー層でコートされてなるポンピングピストン。
【請求項２】
ポンプの本体内に位置して該ポンプ本体の内部を横切って延在するように構成された壁部分と、本体の内側壁表面と摺動式に耐粘性流体物質のシール接触をするように構成されている該壁部分の外周リムと、ポンプ本体の内部から、該本体の内部から分注開口部の方へ向かう流れ経路に沿って、粘性流体物質の内容物が流れ出ることができる流れ導管とを有してなるポンピングピストンであって、前記バリアー層が該壁部分および／または該外周リムおよび／または該導管の全部または一部を覆っている請求項１に記載のポンピングピストン。
【請求項３】
前記バリアー層が、ポンピングピストンの壁部分の下面の全部または一部を覆っている請求項２に記載のポンピングピストン。
【請求項４】
前記バリアー層が、ポンピングピストンの導管の内面の全部または一部を覆っている請求項２または３に記載のポンピングピストン。
【請求項５】
前記リムが、内面と、ポンプ本体の内面と摺動式シールを形成する外面とを有しており、前記バリアー層が該リムの内面だけにある、請求項２、３または４に記載のポンピングピストン。
【請求項６】
粘性流体物質用の手動ポンプに適した、プラスチック材料製のフローティングピストンであって、該フローティングピストンのプラスチック材料の少なくとも一部がバリアー層でコートされてなるフローティングピストン。
【請求項７】
ポンプの本体内に位置して該ポンプ本体の内部を横切って延在するように構成された壁部分と、本体の内側壁表面と摺動式に耐粘性流体物質のシール接触をするように構成されている該壁部分の外周リムと、本体の内面と係合してピストンの上方への移動のみを許容する一方向手段とを有してなるフローティングピストンであって、前記バリアー層が該フローティングピストンの壁部分および／または外周リムの全部または一部を覆っている請求項６に記載のフローティングピストン。
【請求項８】
前記バリアー層が、フローティングピストンの壁部分の上面および／または下面の全部または一部を覆っている、請求項７に記載のフローティングピストン。
【請求項９】
前記リムが、内面と、ポンプ本体の内面と摺動式シールを形成する外面とを有しており、前記バリアー層が該リムの内面だけにある、請求項６または７に記載のフローティングピストン。
【請求項１０】
前記バリアー層が、前記プラスチック材料の成分に対する透過率よりも、前記粘性流体物質の成分および／または環境の成分に対して低い透過率を有する材料からなる、請求項１〜６のいずれか一項に記載のポンピングピストンまたは請求項７〜９のいずれか一項に記載のフローティングピストン。
【請求項１１】
前記バリアー層が、本体の内面との摩擦が低く且つ本体の内面と摺動式シールを形成することができる材料からなり、摺動式シールを形成しているリムの一部が該バリアー層の材料で作られている、請求項１〜６のいずれか一項に記載のポンピングピストンまたは請求項７〜９のいずれか一項に記載のフローティングピストン。
【請求項１２】
前記バリアー層材料が金属材料またはポリマー材料である、請求項１〜１１のいずれか一項に記載のポンピングピストンまたはフローティングピストン。
【請求項１３】
前記バリアー層材料が、ポリプロピレン、ポリエチレンテレフタレート、シリコーン、エチレンビニルアセテート、熱可塑性ポリウレタン、ポリアミド、または熱可塑性エラストマーから選択されるポリマー材料である、請求項１２に記載のポンピングピストンまたはフローティングピストン。
【請求項１４】
ポンプの本体内に位置して該ポンプ本体の内部を横切って延在するように構成された壁部分と、本体の内側壁表面と摺動式に耐粘性流体物質のシール接触をするように構成された該壁部分の外周リムと、流れ導管とを有してなり、該流れ導管を通って、ポンプ本体の内部から、該本体の内部から該導管の放出末端の方へ向かう流れ経路に沿って粘性流体物質の内容物が流れ出ることができる、粘性流体物質用の手動ポンプに適した、プラスチック材料製のポンピングピストンであって、該プラスチック材料とは異なる弾力性フレキシブルポリマー材料からなり且つポンプ本体の内部から分注開口部の方への流れを可能とするように付勢されている弁を該流れ経路中に備えているポンピングピストン。
【請求項１５】
前記バルブが、分注開口部の方への流体物質の流れに応じて開きその反対方向の流れには閉じるように付勢された弾力性フラップを有してなるフラップ弁である、請求項１４に記載のポンピングピストン。
【請求項１６】
前記バルブが、互いに付勢されて閉じており、分注開口部の方への流れに応じて分れる２つ以上の収束フラップを有してなるフラップ弁である、請求項１４に記載のポンピングピストン。
【請求項１７】
前記プラスチック材料とは異なる弾力性フレキシブルポリマー材料がエラストマー材料である、請求項１４、１５または１６に記載のポンピングピストン。
【請求項１８】
前記ポンピングピストン上の弾力性フレキシブルポリマー材料のバリアー層が、弁と一体的に形成されている請求項１４、１５、１６または１７に記載のポンピングピストン。
【請求項１９】
請求項１〜１８のいずれか一項に記載のポンピングピストンおよび／またはフローティングピストンが設けられている、粘性流体物質、特に練り歯磨き粉や歯磨きジェルのような歯磨き剤用の分注ポンプ。
【請求項２０】
最初にピストンのプラスチック材料部分を製造し、次いでこれをバリアー層の形状を画定している型の中に入れ、そうして該バリアー層材料をこの型の中に射出して該プラスチック材料と接触しているバリアー層を形成させることにより、射出可能なポリマー材料のバリアー層を形成する、請求項１に記載のポンピングピストンの製造方法。
【請求項２１】
最初にピストンのプラスチック材料部分を製造し、次いでこれをバリアー層の形状を画定している型の中に入れ、そうして該バリアー層材料をこの型の中に射出して該プラスチック材料と接触しているバリアー層を形成させることにより、射出可能なポリマー材料のバリアー層を形成する、請求項６に記載のフローティングピストンの製造方法。
【発明の詳細な説明】
【技術分野】
【０００１】
本発明は粘性流体物質用の分注ポンプに関し、特に粘性流体物質が練り歯磨き粉や歯磨きジェルのような歯磨き剤である分注ポンプに関する。
【背景技術】
【０００２】
長い間、練り歯磨き粉や歯磨きジェルのような歯磨き剤は、手動式の分注ポンプ中に収容して使用するために提供されてきた。例えば、本出願人により、商品名Aquafresh（登録商標）として、練り歯磨き粉がそのようなポンプ中に入れられて提供されている。
【０００３】
そのようなポンプは例えば英国特許出願公開第２１５２１５２号明細書に開示されており、通常、典型的にはポリプロピレン（ＰＰ）やポリエチレンテレフタレート（ＰＥＴ）のような硬質プラスチック材料製の円筒状本体壁（英国特許出願公開第２１５２１５２号明細書における部分１２）からなるチューブ状ポンプ本体を有しており、分注するための物質を収容している。
【０００４】
そのようなポンプの殆どには、その本体の上部末端部に隣接してポンピングピストン（英国特許出願公開第２１５２１５２号明細書における部分２８）があり、このポンピングピストン上にある作動装置部分にユーザーが圧力を加えることでポンピングピストンを押し下げることができる。このポンピングピストンには通常、導管（英国特許出願公開第２１５２１５２号明細書における部分３０）が含まれており、ポンピングピストンが流体物質の内容物に向かって押し下げられると、流体物質がこの導管を通り、導管の下流末端部のところにある放出開口部の方へ押出される。作動装置は通常、戻りバネ手段を備えており、ユーザーが作動装置に圧力を加えるのを止めると、戻りバネ手段がポンピングピストンを上へ戻す。
【０００５】
この流れ導管は細いため、また場合によっては、この流れ導管にはポンピングピストンが上に移動するときに放出開口部を閉じる栓も備えているため、このポンピングピストンの上方への戻り移動により、ポンプ本体中に残存している流体物質に吸引力が加えられ、流体物質がポンプ本体に沿って上方に引き込まれる。このため、ポンプ本体中には、当技術分野で「フォロアー（follower）」または「フローティングピストン」（英国特許出願公開第２１５２１５２号明細書における部分１６）と呼ばれる第２のピストンが、本体中に密集する物質の下部末端に隣接して設けられており、このピストンはポンピングピストンが上に移動すると吸引力により上方に引き付けられる。ポンプ本体中に密集する流体物質が、ポンピングピストンの下方への動作によって押し下げられるのを防ぐために、フローティングピストンには一方向手段（例えば英国特許出願公開第２１５２１５２号明細書における部分１８）が設けられている。この一方向手段は、典型的には、フローティングピストンの下面に取り付けられている金属製のスパイダースプリングであって、このスパイダースプリングは、そのスパイダーレッグの外側末端部のところに返し（ｂａｒｂ）を有している。この返しは、スパイダースプリングを押し下げようとするとポンプ本体壁の内面に引っ掛かるが、そうでないときは、スパイダースプリングは撓んでフローティングピストンを上に摺動させる。このようなポンプは通常、ポンピングピストンをフローティングピストンの上にして垂直方向に立てて使用するように提供されており、本明細書では、これに従って、上部および下部のような用語が用いられるが、ポンプを任意の向きで使用できることは当然である。
【０００６】
欧州特許出願公開第０３３０９２８号明細書および欧州特許出願公開第０３３０９２９号明細書には、構造は異なるが、それぞれポンピングピストン１７、２１を有しているポンプが開示されている。ここで本体壁は、ガスバリアー性材料の層が組み込まれた多層材料とすることができる。
【０００７】
ポンピングピストンは一般に、プラスチック材料、特に低密度ポリエチレン（ＬＤＰＥ）製であり、フローティングピストンは一般に、プラスチック材料、特に高密度ポリエチレン（ＨＤＰＥ）製である。その理由は、主にＬＤＰＥとＨＤＰＥの摩擦が低いことによる。
【０００８】
ＬＤＰＥおよびＨＤＰＥが比較的透過性のある材料であるという点で問題がある。この透過性のため、今の練り歯磨き粉や歯科用ジェルの成分の一部、例えば芳香剤が、ポンプに練り粉やジェルを充填した後に、ポンピングピストンおよび／またはフローティングピストンを通って外へ拡散するということが起こり得る。また大気中の気体や水蒸気のような環境中の物質も、ポンピングピストンおよび／またはフローティングピストンを通って中へ拡散し、内容物の劣化を引き起こし得る。
【発明の開示】
【発明が解決しようとする課題】
【０００９】
本発明の目的は、改良されたポンピングピストンおよびフローティングピストン、並びにそれらを用いたポンプを提供することである。
【課題を解決するための手段】
【００１０】
本発明により、粘性流体物質用の手動ポンプに適したポンピングピストンが提供される。このポンピングピストンはプラスチック材料製であり、ポンピングピストンのプラスチック材料の少なくとも一部がバリアー層でコートされている。
【００１１】
本発明はまた、粘性流体物質用の手動ポンプに適したフローティングピストンを提供する。このフローティングピストンはプラスチック材料製であり、フローティングピストンのプラスチック材料の少なくとも一部がバリアー層でコートされている。
【００１２】
このバリアー層は、ポンピングピストンまたはフローティングピストンのプラスチック材料とは異なる材料からなり、プラスチック材料の成分に対する透過性よりも、粘性流体物質の成分および／または環境の成分に対して低い透過性を有している。
【００１３】
典型的なポンピングピストンは、ポンプの本体内に位置して該ポンプ本体の内部を横切って延在するように構成された壁部分と、ポンプ本体壁の内面と摺動式に耐粘性流体物質のシール接触をするように構成されている該壁部分の外周リムと、粘性流体物質の内容物が、ポンプ本体の内部から分注開口部の方へ向かう流れ経路に沿って、該本体の内部から流れ出ることができるような流れ導管とを有してなる。典型的にはこの流れ導管は、壁部分と一体的に形成されているチューブ状部材と連通し且つ流れ経路を画定している、該壁部分を通る開口部を有している。
【００１４】
このようなポンピングピストンの構成において、バリアー層は、壁部分および／または外周リムおよび／または導管の全部または一部を覆っていてもよい。
【００１５】
例えば、バリアー層は、ポンピングピストンの壁部分の上面および／または下面の全部または一部を覆うことができ、好ましくは下面すなわち通常流体物質と接触している表面のみを覆っている。
【００１６】
例えば、バリアー層は、ポンピングピストンの導管の内面および／または外面の全部または一部を覆うことができ、好ましくは内面すなわち通常流体物質と接触している表面のみを覆っている。
【００１７】
典型的なフローティングピストンは、ポンプの本体内に位置して該ポンプ本体の内部を横切って延在するように構成された壁部分と、該本体壁の内面と摺動式に耐粘性流体物質のシール接触をするように構成されている該壁部分の外周リムと、ピストンの上方への移動のみを許容する一方向手段とを有してなる。典型的には、この一方向手段は、本体壁の内面と係合するように設けられている。
【００１８】
このようなフローティングピストンの構成において、バリアー層は、フローティングピストンの壁部分および／または外周リムの全部または一部を覆っていてもよい。
【００１９】
例えば、バリアー層は、フローティングピストンの壁部分の上面および／または下面の全部または一部を覆うことができ、好ましくは上面すなわち通常流体物質と接触している表面のみを覆っている。
【００２０】
通常ポンピングピストンまたはフローティングピストンの外周リムは、切頭円錐形または両切頭円錐形の、頂部と頂部が対峙した錐体形状であり、この円錐形の頂部−底部軸が上下で整列している。外周リムは、内面、およびポンプ本体の内面と摺動式にシールを作る外面を有している。ポンピングピストンに通常使われるＨＤＰＥ材料またはＬＤＰＥ材料は摩擦が低く望ましいため、好ましくはバリアー層は、ポンプの本体壁には接触せず、例えば、ポンプの本体壁とは接触しないリムの表面だけにあってもよい。
【００２１】
しかしながらバリアー層は、本体壁の内面との摩擦が低く該本体の内面と摺動式にシールを形成し得る材料であってもよく、摺動式シールを形成しているリムの一部がこのバリアー層の材料でできていてもよい。例えば、リムが上記した円錐形または両切頭円錐形の、頂部と頂部が対峙した形状である場合は、リムの円錐形状の部分をバリアー層の材料で形成することができる。
【００２２】
バリアー層は、粘性流体物質の成分および／または環境の成分に対する透過性が、ポンピングピストンまたはフローティングピストンのプラスチック材料の成分に対する透過性よりも低い、例えば、ピストンを形成する材料がＨＤＰＥまたはＬＤＰＥである場合は、これらのそれぞれよりも低い透過性を有する任意の材料から作ることができる。
【００２３】
好適なバリアー層材料としては、金属、例えばアルミニウム等の薄い金属箔が挙げられる。そのような金属箔は、上記したプラスチック材料に、公知の方法で（例えばスタンピングにより）接合させることができる。
【００２４】
好ましいバリアー層材料は、ポリマー材料である。プラスチック材料の技術分野では、多成分射出成形により、２種のポリマー材料成分から、物品（例えば玩具、歯ブラシ）を製造することはよく知られている。
【００２５】
バリアー層に好適なポリマー材料としては、ＰＰ、ＰＥＴ、シリコーン樹脂、エチレンビニルアセテート、熱可塑性ポリウレタン（ＴＰＵ）、ナイロン等のポリアミド（ＰＡ）、エチレンビニルアルコールコポリマー（ＥＶＯＨ）、ポリ塩化ビニリデン、特にスチレン（エチレン／ブタジエン）スチレン（ＳＥＢＳ）ポリマー等の熱可塑性エラストマー（ＴＰＥ）が挙げられる。ＴＰＥ材料はよく知られており、ＬＤＰＥやＨＤＰＥのようなプラスチック材料に接合させることができ、好ましいバリアー層材料である。そのようなＴＰＥ材料の例としては、Santoprene（商標）が挙げられる。好適には、ＴＰＥ等のポリマー材料でできたバリアー層は、０．４〜１．５ｍｍ厚とすることができる。
【００２６】
本発明のさらなる態様により、ピストンのプラスチック材料部分を最初に製造して壁部分を組み込み、次いでこれをバリアー層の形状を画定している型の中に入れ、そうして射出可能なポリマー材料のバリアー層を、該バリアー層材料をこの型の中に射出して該壁部分と接触し且つそれに接合されたバリアー層を形成させることによって形成させる、上述したポンピングピストンまたはフローティングピストンの製造方法が提供される。
【００２７】
ポンピングピストン上のバリアー層が、エラストマー、例えばＴＰＥ等の弾力的なフレキシブルポリマーのような弾力的なフレキシブル材料である場合は、そのような材料を、流れ経路中に弁を設けるため追加的にあるいは代替的に用いることができる。
【００２８】
したがって本発明のさらなる態様においては、ポンプの本体内に位置して該ポンプ本体の内部を横切って延在するように構成された壁部分と、本体壁の内面と摺動式に耐粘性流体物質のシール接触をするように構成されている該壁部分の外周リムと、流れ導管とを有し、粘性流体物質の内容物が、ポンプ本体の内部から流れ経路に沿って該導管の放出末端部の方へ流れ出ることができる、プラスチック材料製のポンピングピストンにおいて、該プラスチック材料とは異なる弾力的なフレキシブルポリマー材料製であり且つポンプ本体の内部から分注開口部の方への流れを可能にするように付勢されている弁が、該流れ経路中に設けられていることを特徴とするポンピングピストンが提供される。
【００２９】
好ましくはこの弁はフラップ弁、すなわち分注開口部の方への流体物質の流れに応じて開き、その反対の方向の流れに対しては閉じるように付勢されている弾力性のフラップを有している。そのようなフラップ弁は、互いに付勢されて閉じており、分注開口部の方への流れに応じて分かれる２つ以上の収束フラップから構成することができ、例えばいわゆるダックビルバルブである。そのような弁は、好適には導管の中または導管に隣接して設けられる。
【００３０】
好ましくは、上記プラスチック材料とは異なる弾力性のフレキシブルポリマー材料は、エラストマー材料、好ましくはＴＰＥである。
【００３１】
そのような弁は２成分成形プロセスで製造することができ、その結果、弾力性のフレキシブルポリマー材料がピストンの材料に接合される。
【００３２】
例えば、ポンピングピストン上の弾力的なフレキシブルポリマー材料のバリアー層を、そのような弁と一体的に形成することができる。例えば、ポンピングピストンの下面上のバリアー層を、そのような弁と一体的に形成することができる。
【００３３】
そのような弁は、流体物質の内容物からの物質の損失および／または環境からの物質の拡散侵入をさらに減らす上で役立つ。
【００３４】
そのような弁は、ピストンのプラスチック材料部分を最初に製造し、次いでこれを弁の形状を画定している型の中に入れ、そうして該プラスチック材料とは異なる射出可能な弾力性フレキシブルポリマー材料製の弁を、型の中に弁材料を射出して弁を形成させることによって形成させる、ポンピングピストンの製造方法により製造することができる。好適な材料（例えばピストンにはＨＤＰＥ、弁にはＴＰＥ）と適切な２成分成形条件を採用することにより、弁およびピストンは、ピストンと弁が一緒に接合されるように製造することができる。
【００３５】
放出導管の中にフラップ弁を設けることは例えば欧州特許出願公開第００８４６３８号明細書で公知であるが、上記した材料製で、且つ上記した方法で製造された弁の提供は新規であると思われる。
【００３６】
ポンピングピストンおよびフローティングピストンのその他の特徴、例えば寸法、全体形状等は、従来の公知のポンプの典型的なものとすることができる。
【００３７】
本発明はまた、本明細書で説明したポンピングピストンおよび／またはフローティングピストンが設けられている、粘性流体物質、特に練り歯磨き粉や歯磨きジェルのような歯磨き剤用の分注ポンプも提供するものである。
【発明を実施するための最良の形態】
【００３８】
以下、添付の図面を参照しながら、ほんの一例として、本発明を説明する。
【００３９】
図１に、本体１０を有している練り歯磨き粉ポンプの縦断面図を示すが、これは英国特許出願公開第２１５２１５２号明細書のＦｉｇ．１を再現したもので、その構造と操作が包括的に記載されている。ポンプ本体１０は円筒状であり、円筒状の本体壁１１を有している。図１のポンプは、ポンピングピストン１２およびフローティングピストン１３を有しており、スパイダースプリングである一方向手段１４が付いている。このポンプはその基部１５でまっすぐ立つように構成されており、そのためポンピングピストン１２がフローティングピストン１３の上にある。ポンピングピストン１２は壁部分１６を有しており、この壁を、一体的なチューブ状部材１８によって画定される導管１７が通っている。
【００４０】
図２〜６には、図１のポンピングピストン１２として用いるのに好適な本発明のポンピングピストン２０を、縦断面図で図２と３に、上面斜視図で図４に、下面斜視図で図５に、上から見た平面図で図６に示す。
【００４１】
ポンピングピストン２０は、ポンプの本体内に位置して該ポンプ本体１０の内部を横切って延在するように構成された壁部分２１を有している。この壁部分２１は、ポンプ本体１０の壁１１の内面と摺動式に耐粘性流体物質のシール接触をするように構成されているｆ外周リム２２を有している。この外周リム２２は、公知の両切頭円錐形の、頂部と頂部が対峙した錐体形状であり、この円錐形の頂部−底部軸は、内面２２Ａで上下に整列している。そして外面２２Ｂは、ポンプのポンプ本体１０の内面と摺動式にシールを形成している。
【００４２】
ピストン２０は流れ導管２３を有しており、これを通って、ポンプ本体の内部から、本体内部から分注開口部の方へ向かう矢印で示した流れ経路に沿って、粘性流体物質の内容物が流れ出すことができる。導管２３は、公知の方法により、チューブ状導管２３中に壁部分２１を一体的に形成させることで設けられる。
【００４３】
バリアー層２４が、壁部分２１の下面、すなわち通常流体物質と接触する表面の全部を覆っており、導管２３の内面すなわち流体物質が導管２３の中を流れるときにその流体物質と通常接触する表面の一部に一体的に延在している。バリアー層２４はまた、リム２２の下側の内面２２Ａ、すなわち下側の切頭円錐形状リム２２の内面２２Ａを覆っており、その結果、ポンプ本体１２の内面と摺動式シールを形成するリム２２の部分にはバリアー層材料はない。
【００４４】
ポンピングピストン２０は、ポンピングピストン製造の技術分野で知られている従来のＨＤＰＥ材料で一体的に作られている。バリアー層材料２４は熱可塑性エラストマー材料であり、およそ０．１〜０．４ｍｍ厚である。
【００４５】
図２〜６に示すように、バリアー層２４は弾力的なフレキシブル熱可塑性エラストマー材料からなり、これを用いて流れ経路中に弁２５が設けられている。弁２５は、互いに付勢されて閉じており、分注開口部の方への流れに応じて分かれる２つの収束フラップ２５Ａ、２５Ｂを有してなるフラップ弁であり、例えばいわゆるダックビルバルブである。弁２５は、導管２３内の、導管の下側にある入口開口部の末端２３Ａの近傍にある。
【００４６】
図７、８および９は、図１のフローティングピストン１３として使用するのに適したフローティングピストン７０、８０、９０の断面図を示すものである。これらのフローティングピストン７０、８０、９０はそれぞれ、ピストン７０、８０、９０が位置するポンプ本体１０の内部を横切って延在するように構成された壁部分７１、８１、９１を有している。各フローティングピストン７０、８０、９０の壁部分７１、８１、９１の上面は、ポンピングピストン２０の下面と合わさる形状であり、その結果、フローティングピストン７０、８０、９０が本体１０を上へ移動して最高点に達したとき、フローティングピストン２０とポンピングピストン７０、８０、９０との間にトラップされる流体物質はごく少量となる。但し、公知の方法により、この壁部分７１、９１は、上面が、１２０度の間隔を空けて半径方向に延びる３つの切り込み部７２、９２が形成されており、また壁部分７１、８１、９１は、中心ウェル７３、８３、９３を有している。ピストン７０、８０、９０はそれぞれ、ポンプ本体１０の壁１１の内面と摺動式に耐粘性流体物質のシール接触をするように構成された外周リム７４、８４、９４を有している。各フローティングピストン７０、８０、９０の外周リム７４、８４、９４は、両切頭円錐形の頂部と頂部が対峙した錐体形状であり、その円錐形の頂部−底部軸は上下に整列している。リム７４、８４、９４は、内面７４Ａ、８４Ａ、９４Ａ、および、ポンプ本体１０の壁１１の内面と摺動式シールを形成する外面７４Ｂ、８４Ｂ、９４Ｂを有している。
【００４７】
フローティングピストン７０では、切り込み部７２およびウェル７３の内面も含めたフローティングピストン７０の壁部分７１の上面の全部、すなわち通常流体物質と接触する表面を覆うバリアー層７５が設けられている。バリアー層７５はまた、リム７４の内面の上側部分も覆っている。
【００４８】
フローティングピストン８０では、ウェル８３の外面も含めたフローティングピストン８０の壁部分８１の下面の全部、すなわち通常流体物質と接触している表面とは反対側の表面を覆うバリアー層８５が設けられている。バリアー層８５はまた、リム８４の内面の下側部分も覆っている。
【００４９】
フローティングピストン９０では、切り込み部９２およびウェル９３の内面も含めたフローティングピストン９０の壁部分９１の上面の全部、すなわち通常流体物質と接触している表面を覆うバリアー層９５が設けられている。摺動式シールを形成しているリム９４の上側すなわち先端部の切頭円錐形部分９６もバリアー層９５の材料で作られている。
【００５０】
フローティングピストン７０、８０、９０は、フローティングピストン製造の技術分野で知られている従来のＬＤＰＥ材料で一体的に作られている。バリアー層材料９５は熱可塑性エラストマー材料であり、およそ０．４〜１．１ｍｍ厚である。
【００５１】
フローティングピストン７０、８０、９０はそれぞれ、ウェル７３、８３、９３の底部に小さい穴１００とソケット１０１を有している。この構成は公知であり、二つの機能を有している。一つは、穴１００は、ポンプ本体１０にその下側開口末端部から粘性流体物質が充填され次いでフローティングピストン７０、８０、９０もこの下側開口末端部から挿入されるときに空気を抜くことを可能にしていること、もう一つは、穴１００とソケット１０１は、充填が完了しピストン７０、８０、９０が挿入されたときに穴１００を閉じる公知のプラグ（図示せず）用の係合ソケットとして機能し、そして公知の方式により本体の内面と係合してピストンの上方への移動のみを許容する公知のスパイダースプリングのような一方向手段用の取り付け部として機能することである。
【図面の簡単な説明】
【００５２】
【図１】練り歯磨き粉ポンプの縦断面図を示すものである。
【図２】各種のポンピングピストンの図を示すものである。
【図３】各種のポンピングピストンの図を示すものである。
【図４】各種のポンピングピストンの図を示すものである。
【図５】各種のポンピングピストンの図を示すものである。
【図６】各種のポンピングピストンの図を示すものである。
【図７】フローティングピストンの断面図を示すものである。
【図８】フローティングピストンの断面図を示すものである。
【図９】フローティングピストンの断面図を示すものである。
【符号の説明】
【００５３】
１０    ポンプ本体
１１    本体壁
１２    ポンピングピストン
１３    フローティングピストン
１４    一方向手段
１５    基部
１６    壁部分
１７    導管
１８    チューブ状部材
２０    ポンピングピストン
２１    壁部分
２２    外周リム
２２Ａ  内面
２２Ｂ  外面
２３    導管
２４    バリアー層
２５    弁
２５Ａ、２５Ｂ  収束フラップ
７０、８０、９０  フローティングピストン
７１、８１、９１  壁部分
７２、９２  切り込み部
７３，８３、９３  ウェル
７４、８４、９４  リム
７４Ａ、８４Ａ、９４Ａ  内面
７４Ｂ、８４Ｂ、９４Ｂ  外面
７５、８５、９５  バリアー層
１００  小さい穴
１０１  ソケット
【図１】
2007505251.tif 000003
【図２】
2007505251.tif 000004
【図３】
2007505251.tif 000005
【図４】
2007505251.tif 000006
【図５】
2007505251.tif 000007
【図６】
2007505251.tif 000008
【図７】
2007505251.tif 000009
【図８】
2007505251.tif 000010
【図９】
2007505251.tif 000011
【国際調査報告】
2007505251.tif 000012
2007505251.tif 000013
2007505251.tif 000014
2007505251.tif 000015
2007505251.tif 000016
2007505251.tif 000017